(57)【要約】【課題】  弁類の設置場所における弁類から一方向への空間が狭い場合でも弁類にセンサを取り付けることができる弁類の作動状態検出装置を提供する。【解決手段】  ドレン排出管の接続フランジＡにボルト・ナットの連結部材Ｂ１，Ｂ２，Ｂ３，Ｂ４で連結される入口接続フランジ５と、入口接続フランジ５と締結部材の間に介在されるセンサ取り付け部材１１と、センサ取り付け部材１１に取り付けられる作動状態検出用のセンサ１２とを具備する。センサ取り付け部材１１に取り付けられる作動状態検出用のセンサ１２が上方向或いは下方向或いは右方向或いは左方向等の所望の方向に向けられる状態にセンサ取り付け部材１１を入口接続フランジ５と締結部材Ｂ１，Ｂ２の間に或いは入口接続フランジ５と締結部材Ｂ３，Ｂ４の間に或いは入口接続フランジ５と締結部材Ｂ２，Ｂ４の間に或いは入口接続フランジ５と締結部材Ｂ１，Ｂ３の間に介在させる。【選択図】      図２
2010031921.tif 000002
【特許請求の範囲】
【請求項１】
ドレン排出管の接続フランジにボルト・ナットの連結部材で連結される入口接続フランジと、フランジと締結部材の間に介在されるセンサ取り付け部材と、センサ取り付け部材に取り付けられる作動状態検出用のセンサとを具備し、センサ取り付け部材に取り付けられる作動状態検出用のセンサが上方向或いは下方向或いは右方向或いは左方向等の所望の方向に向けられる状態にセンサ取り付け部材をフランジと締結部材の間に介在させてドレン排出管の接続フランジに入口接続フランジが連結部材で連結されることを特徴とする弁類の作動状態検出装置。
【発明の詳細な説明】
【技術分野】
【０００１】
本発明は、各種用途の弁や蒸気トラップなどに代表される弁類の作動状態検出装置に関する。
【背景技術】
【０００２】
従来の弁類の作動状態検出装置としては種々の形式のものが提案されているが、例えば蒸気トラップの作動状態検出装置の場合、特開平１０−２２７６８６号公報に示されたものがある。これは、蒸気トラップのケーシングを構成するトラップ本体とトラップ蓋体との連結構造を利用して作動状態を検出するためのセンサユニットをケーシングに取り付けるようにしたものである。すなわち、先端にボルト部を設けた振動センサとこの振動センサのボルト部の頭部に取り付けた温度センサとでセンサユニットを構成し、振動センサのボルト部をトラップ本体とトラップ蓋体との連結ボルトに代えてその連結ボルトのボルト孔にねじ込むことで、センサユニットをケーシングに取り付け、この取り付け状態において、蒸気トラップの作動状態を示すケーシングの振動及び温度を振動センサ及び温度センサにより検出するようにしている。
【０００３】
上記従来技術の蒸気トラップの作動状態検出装置は、センサユニットの取り付け方向が蒸気トラップの上部から上方向への一方向に限られているために、蒸気トラップの設置場所における蒸気トラップの上方空間が狭い場合、蒸気トラップにセンサユニットを取り付けることができない問題点があった。
【特許文献１】特開平１０−２２７６８６号公報
【発明の開示】
【発明が解決しようとする課題】
【０００４】
従って、本発明の技術的課題は、弁類の設置場所における弁類から一方向への空間が狭い場合でも弁類にセンサを取り付けることができる弁類の作動状態検出装置を提供することである。
【課題を解決するための手段】
【０００５】
上記の技術的課題を解決するために講じた本発明の技術的手段は、ドレン排出管の接続フランジにボルト・ナットの連結部材で連結される入口接続フランジと、フランジと締結部材の間に介在されるセンサ取り付け部材と、センサ取り付け部材に取り付けられる作動状態検出用のセンサとを具備し、センサ取り付け部材に取り付けられる作動状態検出用のセンサが上方向或いは下方向或いは右方向或いは左方向等の所望の方向に向けられる状態にセンサ取り付け部材をフランジと締結部材の間に介在させてドレン排出管の接続フランジに入口接続フランジが連結部材で連結されることを特徴とする弁類の作動状態検出装置にある。
【発明の効果】
【０００６】
本発明の弁類の作動状態検出装置は、センサ取り付け部材に取り付けられる作動状態検出用のセンサが上方向或いは下方向或いは右方向或いは左方向等の所望の方向に向けられる状態にセンサ取り付け部材をフランジと締結部材の間に介在させてドレン排出管の接続フランジに入口接続フランジが連結部材で連結されるものであるので、弁類の設置場所における弁類から一方向への空間が狭い場合でも作動状態検出用のセンサが他方向に向けられる状態にセンサ取り付け部材をフランジと締結部材の間に介在させることにより弁類にセンサを取り付けることができるという優れた効果を生じる。
【発明を実施するための最良の形態】
【０００７】
本発明は、センサ取り付け部材に取り付けられる作動状態検出用のセンサが上方向或いは下方向或いは右方向或いは左方向等の所望の方向に向けられる状態にセンサ取り付け部材をフランジと締結部材の間に介在させてドレン排出管の接続フランジに入口接続フランジが連結部材で連結されるものである。そのため、例えば弁類の設置場所における弁類から上方向への空間が狭い場合は作動状態検出用のセンサが下方向或いは右方向或いは左方向等の上方向以外の他方向に向けられる状態にセンサ取り付け部材をフランジと締結部材の間に介在させることにより弁類にセンサを取り付けることができる。
【実施例１】
【０００８】
上記の技術的手段の具体例を示す実施例を説明する（図１と図２参照）。図１は本発明の実施例であるフロート式蒸気トラップの断面図であり、図２は図１の左側面図である。蒸気トラップのケーシングはトラップ本体１とこのトラップ本体１にボルト２で連結されたトラップ蓋体３とから構成し、内部に弁室４を形成する。トラップ本体１は蒸気使用装置からのドレン排出管の接続フランジＡに接続する入口接続フランジ５と、排出箇所へのドレン排出管に接続する出口接続フランジ６を有し、入口接続フランジ５にトラップ入口５ａを形成し、出口接続フランジ６にドレンＷを排出するトラップ出口６ａを形成する。弁室４はトラップ入口５ａに常時連通すると共にトラップ蓋体３に設けた弁口７を介してトラップ出口６ａに連通する。
【０００９】
弁室４にはドレンＷの水位変動に伴う上下動により弁口７を開閉する球状のフロート８を内装してあり、トラップ入口５ａからドレンＷが蒸気Ｓと共に流入する通常使用状態では、弁口７がドレンＷに水没した状態においてフロート８によりドレン流入量に応じた開度に調節され、これにより、蒸気Ｓの漏出が阻止された状態で、ドレンＷのみが弁口７を通じてトラップ出口６ａへ連続的に排出される。また、トラップ入口５ａからのドレンＷの流入が無くなると、弁口７が水位低下したドレンＷに水没した状態においてフロート８により閉塞され、この水没下での弁口７の閉塞により蒸気Ｓの漏出が確実に阻止される。
【００１０】
弁室４の上部には弁口７の開閉操作不良の原因となる異物を捕捉するためのフィルタ９をトラップ本体１の天井壁に取り付けてあり、ドレンＷ及び蒸気Ｓはフィルタ９を通じてトラップ入口５ａから弁室４に流入する。弁室４の下部には低温空気や低温水を排出するためのバイメタル１０をトラップ蓋体３の底壁に取り付けてある。バイメタル１０は弁室４に蒸気Ｓや高温ドレンＷが流入して弁室４が高温のときには先端が着座状態のフロート８に対し非当接となる縮み屈折状態になってフロート８による弁口７の閉塞を許容する。一方、弁室４に低温空気や低温水が流入して弁室４が低温のときには先端で着座状態のフロート８を押し上げる伸び屈折状態になってフロート８を強制的に押し上げて弁口７を開口し、これにより、低温空気や低温水が弁口７を通じてトラップ出口６ａへ排出される。
【００１１】
入口接続フランジ５はドレン排出管の接続フランジＡにボルト・ナットの連結部材Ｂ１，Ｂ２，Ｂ３，Ｂ４で連結される。このとき、センサ取り付け部材１１が入口接続フランジ５と連結部材Ｂ１，Ｂ２のボルトの頭部或いはナットの間に介在される。センサ取り付け部材１１はドレン排出管の接続フランジＡと連結部材Ｂ１，Ｂ２のボルトの頭部或いはナットの間に介在させることもできる。センサ取り付け部材１１は１つの連結部材によりフランジとの間に介在させることもできるが、２つ以上の連結部材によりフランジとの間に介在させることにより回転を防止することができる。センサ取り付け部材１１は側面から見ると概略逆Ｙ字状で上端が約９０度折れ曲がり断面概略Ｌ字状であり、連結部材Ｂ１，Ｂ２，Ｂ３，Ｂ４のねじ部が貫通しボルトの頭部やナットの外径よりも小径の孔を有する。センサ取り付け部材１１に作動状態検出用のセンサ１２が取り付けられる。センサ１２は振動センサ１２ａと振動センサ１２ａの先端に取り付けた温度センサ１２ｂとから構成する。センサ１２は振動センサ１２ａだけで構成したり温度センサ１２ｂだけで構成したり振動センサ１２ａと温度センサ１２ｂとから構成したりすることができる。蒸気トラップの作動状態を示すトラップ本体１の振動及び温度を振動センサ１２ａ及び温度センサ１２ｂにより検出し、検出信号を出力信号としてケーブル１３（ないしは無線式伝送手段）により判定器に送ることで、その判定器において蒸気トラップの作動状態を判定する。センサ１２は蒸気トラップが正常動作している状態では蒸気の存在箇所となり、蒸気トラップがドレンの排出詰まりを生じている状態ではドレンの存在箇所となる、ドレン排出管或いはドレン排出管の接続フランジＡ或いは入口接続フランジ５或いは入口接続フランジ５と弁室４との間の入口管部の振動或いは温度を検出することにより、温度センサ１２ｂによる検出信号により蒸気トラップが正常動作しているかドレンの排出詰まりを生じているかを正確に判定することができる。
【００１２】
図１，図２は実線で示すようにセンサ１２が上方向に向けられる状態にセンサ取り付け部材１１を入口接続フランジ５と締結部材Ｂ１，Ｂ２の間に介在させたものであるが、蒸気トラップの設置場所における蒸気トラップから上方向への空間が狭い場合は、点線で示すようにセンサ１２が下方向に或いは右方向に或いは左方向に向けられる状態にセンサ取り付け部材１１をフランジと締結部材Ｂ３，Ｂ４の間に或いはフランジと締結部材Ｂ２，Ｂ４の間に或いはフランジと締結部材Ｂ１，Ｂ３の間に介在させる。
【図面の簡単な説明】
【００１３】
【図１】本発明の実施例であるフロート式蒸気トラップの断面図。
【図２】図１のフロート式蒸気トラップの左側面図。
【符号の説明】
【００１４】
１  トラップ本体
２  ボルト
３  トラップ蓋体
４  弁室
５  入口接続フランジ
５ａ  トラップ入口
６  出口接続フランジ
６ａ  トラップ出口
７  弁口
８  フロート
９  フィルタ
１０  バイメタル
１１  センサ取り付け部材
１２  センサ
１２ａ  振動センサ
１２ｂ  温度センサ
１３  ケーブル
Ａ  ドレン排出管の接続フランジ
Ｂ１，Ｂ２，Ｂ３，Ｂ４  連結部材
【図１】
2010031921.tif 000003
【図２】
2010031921.tif 000004